(57)【要約】【課題】  利用者がコンテンツを利用している時点でタイムリーかつ確実に、コンテンツに対する関連情報を利用者に提示可能なコンテンツ関連情報提示方法、システム及びプログラムを提供する。【解決手段】  ネットワーク４を介してコンテンツ利用者がコンテンツを利用するためのコンテンツ利用者端末５と、コンテンツ利用者端末５にネットワーク４を介してコンテンツ関連情報１１を提供するためのコンテンツ関連情報作成装置１と、コンテンツ関連情報作成装置１から出力されるコンテンツ関連情報１１を特定するコンテンツ識別子７に応じて、コンテンツ識別子７に対応したロケーション情報をコンテンツ関連情報作成装置１へ提供するための付加情報照会サーバ２とを備える。【選択図】      図１
2005128892.tif 000002
【特許請求の範囲】
【請求項１】
コンテンツに対するコンテンツ関連情報をコンテンツ利用者に提示するためのコンテンツ関連情報提示方法であって、
前記コンテンツ関連情報は前記コンテンツ利用者に流通し、
前記コンテンツ利用者が前記コンテンツを利用するときに前記コンテンツ関連情報を前記コンテンツ利用者に提示することを特徴とするコンテンツ関連情報提示方法。
【請求項２】
前記コンテンツ関連情報は、前記コンテンツに付加可能な付加サービスと付加コンテンツの少なくとも一方の実体を含むことを特徴とする請求項１に記載のコンテンツ関連情報提示方法。
【請求項３】
前記コンテンツ関連情報は、前記コンテンツに付加可能な付加サービスと付加コンテンツの少なくとも一方の所在を示すロケーション情報を含むことを特徴とする請求項１に記載のコンテンツ関連情報提示方法。
【請求項４】
前記コンテンツ関連情報は、前記コンテンツに付加可能な付加サービスと付加コンテンツの少なくとも一方を一意に特定する識別子を含むことを特徴とする請求項１に記載のコンテンツ関連情報提示方法。
【請求項５】
前記コンテンツ利用者が前記コンテンツを利用するときに提示される前記コンテンツ関連情報は、前記コンテンツ関連情報に含まれる前記識別子をもとに、前記実体または前記ロケーション情報を照会するための付加情報照会手段を介して提示されることを特徴とする請求項４に記載のコンテンツ関連情報提示方法。
【請求項６】
前記コンテンツ関連情報に含まれる、前記コンテンツに付加可能な前記付加サービスと前記付加コンテンツの少なくとも一方の前記実体または前記ロケーション情報または前記識別子は、前記コンテンツを示す情報をもとに前記実体または前記ロケーション情報または前記識別子を照会するための付加情報照会手段を介して作成されることを特徴とする請求項１〜５のいずれかに記載のコンテンツ関連情報提示方法。
【請求項７】
前記コンテンツ利用者が前記コンテンツを利用するときに提示される前記コンテンツ関連情報は、前記コンテンツ利用者を示す情報をもとに、複数の前記コンテンツ関連情報の中から、前記コンテンツ利用者を示す情報に整合するものが１つまたは複数で選択され提示されることを特徴とする請求項１〜６のいずれかに記載のコンテンツ関連情報提示方法。
【請求項８】
前記コンテンツ利用者が前記コンテンツを利用するときに提示される前記コンテンツ関連情報は、前記コンテンツ利用者が利用するコンテンツ利用者端末を示す情報をもとに、複数の前記コンテンツ関連情報の中から前記コンテンツ利用者端末を示す情報に整合するものが１つまたは複数で選択され提示されることを特徴とする請求項１〜７のいずれかに記載のコンテンツ関連情報提示方法。
【請求項９】
コンテンツに対するコンテンツ関連情報をコンテンツ利用者に提示するためのコンテンツ関連情報提示システムであって、
前記コンテンツ利用者が前記コンテンツを利用するためのコンテンツ利用者端末と、
前記コンテンツ利用者端末にネットワークを介して前記コンテンツ関連情報を提供し、前記コンテンツ利用者が前記コンテンツを利用するときに前記コンテンツ関連情報を前記コンテンツ利用者端末に提示させるためのコンテンツ関連情報作成装置と、
を備えることを特徴とするコンテンツ関連情報提示システム。
【請求項１０】
前記コンテンツ関連情報は、前記コンテンツに付加可能な付加サービスと付加コンテンツの少なくとも一方の実体を含むことを特徴とする請求項９に記載のコンテンツ関連情報提示システム。
【請求項１１】
前記コンテンツ関連情報は、前記コンテンツに付加可能な付加サービスと付加コンテンツの少なくとも一方の所在を示すロケーション情報を含むことを特徴とする請求項９に記載のコンテンツ関連情報提示システム。
【請求項１２】
前記コンテンツ関連情報は、前記コンテンツに付加可能な付加サービスと付加コンテンツの少なくとも一方を一意に特定する識別子を含むことを特徴とする請求項９に記載のコンテンツ関連情報提示システム。
【請求項１３】
前記コンテンツ利用者が前記コンテンツを利用するときに提示される前記コンテンツ関連情報は、前記コンテンツ関連情報に含まれる前記識別子をもとに、前記実体または前記ロケーション情報を照会するための付加情報照会サーバを介して提示されることを特徴とする請求項１２に記載のコンテンツ関連情報提示システム。
【請求項１４】
前記コンテンツ関連情報に含まれる、前記コンテンツに付加可能な前記付加サービスと前記付加コンテンツの少なくとも一方の前記実体または前記ロケーション情報または前記識別子は、前記コンテンツを示す情報をもとに前記実体または前記ロケーション情報または前記識別子を照会するための付加情報照会サーバを介して作成されることを特徴とする請求項９〜１３のいずれかに記載のコンテンツ関連情報提示システム。
【請求項１５】
前記コンテンツ利用者が前記コンテンツを利用するときに提示される前記コンテンツ関連情報は、前記コンテンツ利用者を示す情報をもとに、複数の前記コンテンツ関連情報の中から、前記コンテンツ利用者を示す情報に整合するものが１つまたは複数で選択され提示されることを特徴とする請求項９〜１４のいずれかに記載のコンテンツ関連情報提示システム。
【請求項１６】
前記コンテンツ利用者が前記コンテンツを利用するときに提示される前記コンテンツ関連情報は、前記コンテンツ利用者が利用する前記コンテンツ利用者端末を示す情報をもとに、複数の前記コンテンツ関連情報の中から前記コンテンツ利用者端末を示す情報に整合するものが１つまたは複数で選択され提示されることを特徴とする請求項９〜１５のいずれかに記載のコンテンツ関連情報提示システム。
【請求項１７】
コンテンツに対するコンテンツ関連情報をコンテンツ利用者に提示するためのコンテンツ関連情報提示プログラムであって、
前記コンテンツ関連情報は前記コンテンツ利用者に流通し、
前記コンテンツ利用者が前記コンテンツを利用するときに前記コンテンツ関連情報を前記コンテンツ利用者に提示することを特徴とするコンテンツ関連情報提示プログラム。
【請求項１８】
前記コンテンツ関連情報は、前記コンテンツに付加可能な付加サービスと付加コンテンツの少なくとも一方の実体を含むことを特徴とする請求項１７に記載のコンテンツ関連情報提示プログラム。
【請求項１９】
前記コンテンツ関連情報は、前記コンテンツに付加可能な付加サービスと付加コンテンツの少なくとも一方の所在を示すロケーション情報を含むことを特徴とする請求項１７に記載のコンテンツ関連情報提示プログラム。
【請求項２０】
前記コンテンツ関連情報は、前記コンテンツに付加可能な付加サービスと付加コンテンツの少なくとも一方を一意に特定する識別子を含むことを特徴とする請求項１７に記載のコンテンツ関連情報提示プログラム。
【請求項２１】
前記コンテンツ利用者が前記コンテンツを利用するときに提示される前記コンテンツ関連情報は、前記コンテンツ関連情報に含まれる前記識別子をもとに、前記実体または前記ロケーション情報を照会するための付加情報照会手段を介して提示されることを特徴とする請求項２０に記載のコンテンツ関連情報提示プログラム。
【請求項２２】
前記コンテンツ関連情報に含まれる、前記コンテンツに付加可能な前記付加サービスと前記付加コンテンツの少なくとも一方の前記実体または前記ロケーション情報または前記識別子は、前記コンテンツを示す情報をもとに前記実体または前記ロケーション情報または前記識別子を照会するための付加情報照会手段を介して作成されることを特徴とする請求項１７〜２１のいずれかに記載のコンテンツ関連情報提示プログラム。
【請求項２３】
前記コンテンツ利用者が前記コンテンツを利用するときに提示される前記コンテンツ関連情報は、前記コンテンツ利用者を示す情報をもとに、複数の前記コンテンツ関連情報の中から、前記コンテンツ利用者を示す情報に整合するものが１つまたは複数で選択され提示されることを特徴とする請求項１７〜２２のいずれかに記載のコンテンツ関連情報提示プログラム。
【請求項２４】
前記コンテンツ利用者が前記コンテンツを利用するときに提示される前記コンテンツ関連情報は、前記コンテンツ利用者が利用するコンテンツ利用者端末を示す情報をもとに、複数の前記コンテンツ関連情報の中から前記コンテンツ利用者端末を示す情報に整合するものが１つまたは複数で選択され提示されることを特徴とする請求項１７〜２３のいずれかに記載のコンテンツ関連情報提示プログラム。
【請求項２５】
コンテンツに対するコンテンツ関連情報をコンテンツ利用者に提示するためのコンテンツ関連情報提示プログラムを記録したプログラム記録媒体であって、
前記コンテンツ関連情報は前記コンテンツ利用者に流通し、
前記コンテンツ利用者が前記コンテンツを利用するときに前記コンテンツ関連情報を前記コンテンツ利用者に提示することを特徴とするコンテンツ関連情報提示プログラムを記録したプログラム記録媒体。
【請求項２６】
前記コンテンツ関連情報は、前記コンテンツに付加可能な付加サービスと付加コンテンツの少なくとも一方の実体を含むことを特徴とする請求項２５に記載のコンテンツ関連情報提示プログラムを記録したプログラム記録媒体。
【請求項２７】
前記コンテンツ関連情報は、前記コンテンツに付加可能な付加サービスと付加コンテンツの少なくとも一方の所在を示すロケーション情報を含むことを特徴とする請求項２５に記載のコンテンツ関連情報提示プログラムを記録したプログラム記録媒体。
【請求項２８】
前記コンテンツ関連情報は、前記コンテンツに付加可能な付加サービスと付加コンテンツの少なくとも一方を一意に特定する識別子を含むことを特徴とする請求項２５に記載のコンテンツ関連情報提示プログラムを記録したプログラム記録媒体。
【請求項２９】
前記コンテンツ利用者が前記コンテンツを利用するときに提示される前記コンテンツ関連情報は、前記コンテンツ関連情報に含まれる前記識別子をもとに、前記実体または前記ロケーション情報を照会するための付加情報照会手段を介して提示されることを特徴とする請求項２８に記載のコンテンツ関連情報提示プログラムを記録したプログラム記録媒体。
【請求項３０】
前記コンテンツ関連情報に含まれる、前記コンテンツに付加可能な前記付加サービスと前記付加コンテンツの少なくとも一方の前記実体または前記ロケーション情報または前記識別子は、前記コンテンツを示す情報をもとに前記実体または前記ロケーション情報または前記識別子を照会するための付加情報照会手段を介して作成されることを特徴とする請求項２５〜２９のいずれかに記載のコンテンツ関連情報提示プログラムを記録したプログラム記録媒体。
【請求項３１】
前記コンテンツ利用者が前記コンテンツを利用するときに提示される前記コンテンツ関連情報は、前記コンテンツ利用者を示す情報をもとに、複数の前記コンテンツ関連情報の中から、前記コンテンツ利用者を示す情報に整合するものが１つまたは複数で選択され提示されることを特徴とする請求項２５〜３０のいずれかに記載のコンテンツ関連情報提示プログラムを記録したプログラム記録媒体。
【請求項３２】
前記コンテンツ利用者が前記コンテンツを利用するときに提示される前記コンテンツ関連情報は、前記コンテンツ利用者が利用するコンテンツ利用者端末を示す情報をもとに、複数の前記コンテンツ関連情報の中から前記コンテンツ利用者端末を示す情報に整合するものが１つまたは複数で選択され提示されることを特徴とする請求項２５〜３１のいずれかに記載のコンテンツ関連情報提示プログラムを記録したプログラム記録媒体。
【発明の詳細な説明】
【技術分野】
【０００１】
本発明は、コンテンツに対する関連情報をコンテンツ利用者に提示するための方法、システム、プログラム及びプログラム記録媒体に関する。
【背景技術】
【０００２】
従来のコンテンツ関連情報提示方法は、コンテンツセンタまたはサードパーティがコンテンツ識別子を指定して、そのコンテンツ識別子を有するコンテンツに対して付加可能な付加サービスや付加コンテンツの情報と、その付加サービスの提供元のロケーション情報とを照会ＤＢに登録することによって、利用者端末がコンテンツ識別子を指定してそのコンテンツ識別子を有するコンテンツに対して付加可能な付加サービスや付加コンテンツの情報を検索した際に、利用者端末にその登録情報を出力し、利用者にコンテンツセンタまたはサードパーティの付加サービスや付加コンテンツを提供していた（例えば、特許文献１及び非特許文献１参照）。
【特許文献１】特開２００３−３６３１８公報（第１０頁、第１図）
【非特許文献１】Ｈ．Ｓａｋａｍｏｔｏ，“Ｓｅｒｖｉｃｅ  Ｇａｔｅｗａｙ  ｔｏ  Ｅｎａｂｌｅ  ｔｈｅ  Ｉｎｔｒｏｄｕｃｔｉｏｎ  ｏｆ  Ｃｏｎｔｅｎｔ  Ｒｅｌａｔｅｄ  Ｓｅｒｖｉｃｅｓ”，ＩＣＭＥ  ２００１  Ｍｕｌｔｉｍｅｄｉａ  ａｎｄ  Ｅｘｐｏ，ＩＥＥＥ  Ｉｎｔｅｒｎａｔｉｏｎａｌ  Ｃｏｎｆｅｒｅｎｃｅ  ｏｎ  ＣＤ−ＲＯＭ．
【発明の開示】
【発明が解決しようとする課題】
【０００３】
コンテンツに対する関連情報は、利用者がコンテンツを利用している時点でタイムリーに提示するのが適切である。しかし、従来の提示方法では利用者がコンテンツに対するコンテンツ識別子を知らないと関連情報が得られない。コンテンツ識別子を知る方法としては、例えばコンテンツに電子透かしの形でコンテンツ識別子情報を埋め込んでおき、利用者側で電子透かしを検出する方法があるが、検出処理に所定の時間がかかる。また、コンテンツ識別子を指定して関連情報を検索する時間や、登録された関連情報が多数あった場合にそれらから利用者が興味を持つものを選択する手間もかかる。従って、利用者がコンテンツを利用しているとしても、その時点でタイムリーに関連情報を提示できないという課題がある。
【０００４】
一方、コンテンツが利用者に流通される時点とそのコンテンツを利用する時点とでは、利用者端末の性能に差のある場合がある。例えば、高性能端末（ネットワークに接続されたＰＣ等）にコンテンツが流通され、低性能端末（オフラインのＰＤＡ等）でコンテンツを利用する場合、関連情報が検索できなかったり、検索できたとしても提示された関連情報が端末で利用できなかったりする場合が考えられる。従って、コンテンツ利用時に確実に関連情報を提示できないという課題がある。
【０００５】
本発明は上記の点に鑑みてなされたものであり、利用者がコンテンツを利用している時点でタイムリーかつ確実に、コンテンツに対する関連情報を利用者に提示可能なコンテンツ関連情報提示方法を提供することを目的とする。
【課題を解決するための手段】
【０００６】
請求項１に記載の本発明は、コンテンツに対するコンテンツ関連情報をコンテンツ利用者に提示するためのコンテンツ関連情報提示方法であって、前記コンテンツ関連情報は前記コンテンツ利用者に流通し、前記コンテンツ利用者が前記コンテンツを利用するときに前記コンテンツ関連情報を前記コンテンツ利用者に提示する。
【０００７】
また、請求項２に記載の本発明は、請求項１において、前記コンテンツ関連情報は、前記コンテンツに付加可能な付加サービスと付加コンテンツの少なくとも一方の実体を含む。
【０００８】
また、請求項３に記載の本発明は、請求項１において、前記コンテンツ関連情報は、前記コンテンツに付加可能な付加サービスと付加コンテンツの少なくとも一方の所在を示すロケーション情報を含む。
【０００９】
また、請求項４に記載の本発明は、請求項１において、前記コンテンツ関連情報は、前記コンテンツに付加可能な付加サービスと付加コンテンツの少なくとも一方を一意に特定する識別子を含む。
【００１０】
また、請求項５に記載の本発明は、請求項４において、前記コンテンツ利用者が前記コンテンツを利用するときに提示される前記コンテンツ関連情報は、前記コンテンツ関連情報に含まれる前記識別子をもとに、前記実体または前記ロケーション情報を照会するための付加情報照会手段を介して提示される。
【００１１】
また、請求項６に記載の本発明は、請求項１〜５のいずれかにおいて、前記コンテンツ関連情報に含まれる、前記コンテンツに付加可能な前記付加サービスと前記付加コンテンツの少なくとも一方の前記実体または前記ロケーション情報または前記識別子は、前記コンテンツを示す情報をもとに前記実体または前記ロケーション情報または前記識別子を照会するための付加情報照会手段を介して作成される。
【００１２】
また、請求項７に記載の本発明は、請求項１〜６のいずれかにおいて、前記コンテンツ利用者が前記コンテンツを利用するときに提示される前記コンテンツ関連情報は、前記コンテンツ利用者を示す情報をもとに、複数の前記コンテンツ関連情報の中から、前記コンテンツ利用者を示す情報に整合するものが１つまたは複数で選択され提示される。
【００１３】
また、請求項８に記載の本発明は、請求項１〜７のいずれかにおいて、前記コンテンツ利用者が前記コンテンツを利用するときに提示される前記コンテンツ関連情報は、前記コンテンツ利用者が利用するコンテンツ利用者端末を示す情報をもとに、複数の前記コンテンツ関連情報の中から前記コンテンツ利用者端末を示す情報に整合するものが１つまたは複数で選択され提示される。
【００１４】
また、請求項９に記載の本発明は、コンテンツに対するコンテンツ関連情報をコンテンツ利用者に提示するためのコンテンツ関連情報提示システムであって、前記コンテンツ利用者が前記コンテンツを利用するためのコンテンツ利用者端末と、前記コンテンツ利用者端末にネットワークを介して前記コンテンツ関連情報を提供し、前記コンテンツ利用者が前記コンテンツを利用するときに前記コンテンツ関連情報を前記コンテンツ利用者端末に提示させるためのコンテンツ関連情報作成装置と、を備える。
【００１５】
また、請求項１０に記載の本発明は、請求項９において、前記コンテンツ関連情報は、前記コンテンツに付加可能な付加サービスと付加コンテンツの少なくとも一方の実体を含む。
【００１６】
また、請求項１１に記載の本発明は、請求項９において、前記コンテンツ関連情報は、前記コンテンツに付加可能な付加サービスと付加コンテンツの少なくとも一方の所在を示すロケーション情報を含む。
【００１７】
また、請求項１２に記載の本発明は、請求項９において、前記コンテンツ関連情報は、前記コンテンツに付加可能な付加サービスと付加コンテンツの少なくとも一方を一意に特定する識別子を含む。
【００１８】
また、請求項１３に記載の本発明は、請求項１２において、前記コンテンツ利用者が前記コンテンツを利用するときに提示される前記コンテンツ関連情報は、前記コンテンツ関連情報に含まれる前記識別子をもとに、前記実体または前記ロケーション情報を照会するための付加情報照会サーバを介して提示される。
【００１９】
また、請求項１４に記載の本発明は、請求項９〜１３のいずれかにおいて、前記コンテンツ関連情報に含まれる、前記コンテンツに付加可能な前記付加サービスと前記付加コンテンツの少なくとも一方の前記実体または前記ロケーション情報または前記識別子は、前記コンテンツを示す情報をもとに前記実体または前記ロケーション情報または前記識別子を照会するための付加情報照会サーバを介して作成される。
【００２０】
また、請求項１５に記載の本発明は、請求項９〜１４のいずれかにおいて、前記コンテンツ利用者が前記コンテンツを利用するときに提示される前記コンテンツ関連情報は、前記コンテンツ利用者を示す情報をもとに、複数の前記コンテンツ関連情報の中から、前記コンテンツ利用者を示す情報に整合するものが１つまたは複数で選択され提示される。
【００２１】
また、請求項１６に記載の本発明は、請求項９〜１５のいずれかにおいて、前記コンテンツ利用者が前記コンテンツを利用するときに提示される前記コンテンツ関連情報は、前記コンテンツ利用者が利用する前記コンテンツ利用者端末を示す情報をもとに、複数の前記コンテンツ関連情報の中から前記コンテンツ利用者端末を示す情報に整合するものが１つまたは複数で選択され提示される。
【００２２】
また、請求項１７に記載の本発明は、コンテンツに対するコンテンツ関連情報をコンテンツ利用者に提示するためのコンテンツ関連情報提示プログラムであって、前記コンテンツ関連情報は前記コンテンツ利用者に流通し、前記コンテンツ利用者が前記コンテンツを利用するときに前記コンテンツ関連情報を前記コンテンツ利用者に提示する。
【００２３】
また、請求項１８に記載の本発明は、請求項１７において、前記コンテンツ関連情報は、前記コンテンツに付加可能な付加サービスと付加コンテンツの少なくとも一方の実体を含む。
【００２４】
また、請求項１９に記載の本発明は、請求項１７において、前記コンテンツ関連情報は、前記コンテンツに付加可能な付加サービスと付加コンテンツの少なくとも一方の所在を示すロケーション情報を含む。
【００２５】
また、請求項２０に記載の本発明は、請求項１７において、前記コンテンツ関連情報は、前記コンテンツに付加可能な付加サービスと付加コンテンツの少なくとも一方を一意に特定する識別子を含む。
【００２６】
また、請求項２１に記載の本発明は、請求項２０において、前記コンテンツ利用者が前記コンテンツを利用するときに提示される前記コンテンツ関連情報は、前記コンテンツ関連情報に含まれる前記識別子をもとに、前記実体または前記ロケーション情報を照会するための付加情報照会手段を介して提示される。
【００２７】
また、請求項２２に記載の本発明は、請求項１７〜２１のいずれかにおいて、前記コンテンツ関連情報に含まれる、前記コンテンツに付加可能な前記付加サービスと前記付加コンテンツの少なくとも一方の前記実体または前記ロケーション情報または前記識別子は、前記コンテンツを示す情報をもとに前記実体または前記ロケーション情報または前記識別子を照会するための付加情報照会手段を介して作成される。
【００２８】
また、請求項２３に記載の本発明は、請求項１７〜２２のいずれかにおいて、前記コンテンツ利用者が前記コンテンツを利用するときに提示される前記コンテンツ関連情報は、前記コンテンツ利用者を示す情報をもとに、複数の前記コンテンツ関連情報の中から、前記コンテンツ利用者を示す情報に整合するものが１つまたは複数で選択され提示される。
【００２９】
また、請求項２４に記載の本発明は、請求項１７〜２３のいずれかにおいて、前記コンテンツ利用者が前記コンテンツを利用するときに提示される前記コンテンツ関連情報は、前記コンテンツ利用者が利用するコンテンツ利用者端末を示す情報をもとに、複数の前記コンテンツ関連情報の中から前記コンテンツ利用者端末を示す情報に整合するものが１つまたは複数で選択され提示される。
【００３０】
また、請求項２５に記載の本発明は、コンテンツに対するコンテンツ関連情報をコンテンツ利用者に提示するためのコンテンツ関連情報提示プログラムを記録したプログラム記録媒体であって、前記コンテンツ関連情報は前記コンテンツ利用者に流通し、前記コンテンツ利用者が前記コンテンツを利用するときに前記コンテンツ関連情報を前記コンテンツ利用者に提示することを特徴とするコンテンツ関連情報提示プログラムを記録する。
【００３１】
また、請求項２６に記載の本発明は、請求項２５において、前記コンテンツ関連情報は、前記コンテンツに付加可能な付加サービスと付加コンテンツの少なくとも一方の実体を含むことを特徴とするコンテンツ関連情報提示プログラムを記録する。
【００３２】
また、請求項２７に記載の本発明は、請求項２５において、前記コンテンツ関連情報は、前記コンテンツに付加可能な付加サービスと付加コンテンツの少なくとも一方の所在を示すロケーション情報を含むことを特徴とするコンテンツ関連情報提示プログラムを記録する。
【００３３】
また、請求項２８に記載の本発明は、請求項２５において、前記コンテンツ関連情報は、前記コンテンツに付加可能な付加サービスと付加コンテンツの少なくとも一方を一意に特定する識別子を含むことを特徴とするコンテンツ関連情報提示プログラムを記録する。
【００３４】
また、請求項２９に記載の本発明は、請求項２８において、前記コンテンツ利用者が前記コンテンツを利用するときに提示される前記コンテンツ関連情報は、前記コンテンツ関連情報に含まれる前記識別子をもとに、前記実体または前記ロケーション情報を照会するための付加情報照会手段を介して提示されることを特徴とするコンテンツ関連情報提示プログラムを記録する。
【００３５】
また、請求項３０に記載の本発明は、請求項２５〜２９のいずれかにおいて、前記コンテンツ関連情報に含まれる、前記コンテンツに付加可能な前記付加サービスと前記付加コンテンツの少なくとも一方の前記実体または前記ロケーション情報または前記識別子は、前記コンテンツを示す情報をもとに前記実体または前記ロケーション情報または前記識別子を照会するための付加情報照会手段を介して作成されることを特徴とするコンテンツ関連情報提示プログラムを記録する。
【００３６】
また、請求項３１に記載の本発明は、請求項２５〜３０のいずれかにおいて、前記コンテンツ利用者が前記コンテンツを利用するときに提示される前記コンテンツ関連情報は、前記コンテンツ利用者を示す情報をもとに、複数の前記コンテンツ関連情報の中から、前記コンテンツ利用者を示す情報に整合するものが１つまたは複数で選択され提示されることを特徴とするコンテンツ関連情報提示プログラムを記録する。
【００３７】
また、請求項３２に記載の本発明は、請求項２５〜３１のいずれかにおいて、前記コンテンツ利用者が前記コンテンツを利用するときに提示される前記コンテンツ関連情報は、前記コンテンツ利用者が利用するコンテンツ利用者端末を示す情報をもとに、複数の前記コンテンツ関連情報の中から前記コンテンツ利用者端末を示す情報に整合するものが１つまたは複数で選択され提示されることを特徴とするコンテンツ関連情報提示プログラムを記録する。
【発明の効果】
【００３８】
本発明によれば、利用者がコンテンツを利用している時点でタイムリーかつ確実に、コンテンツに対する関連情報を利用者に提示可能なコンテンツ関連情報提示方法、システム及びプログラムを提供することが可能となる。
【００３９】
また、上記のプログラムをプログラム記録媒体に記録することにより、これをコンピュータ上で読み取らせ、実行させるだけで容易に上記のコンテンツ関連情報提示システムを実現可能なプログラム記録媒体を提供することが可能となる。
【発明を実施するための最良の形態】
【００４０】
以下、図面を参照しつつ本発明のコンテンツ関連情報提示システムについての説明を行う。なお、以下の実施の形態は、あくまでも本発明の説明のためのものであり、本発明の範囲を制限するものではない。従って、当業者であれば、これらの各要素または全要素を含んだ各種の実施の形態を採用することが可能であるが、これらの実施の形態も本発明の範囲に含まれる。
【００４１】
［第１の実施の形態］
図１は、本発明の第１の実施の形態に係るコンテンツ関連情報提示システムの構成を示す図である。本実施例に記載のコンテンツ関連情報提示システムは、請求項１、請求項２及び請求項６に記載のコンテンツ関連情報提示方法を含む。
【００４２】
図１には、コンテンツ関連情報作成装置１と、付加情報照会サーバ２と、サービス提供サーバ３と、コンテンツ利用者端末５と、が示され、さらにネットワーク４が示されている。このうち、コンテンツ関連情報作成装置１には、コンテンツ実体６と、このコンテンツ実体６に係るコンテンツ識別子７と、付加情報照会サーバ２から得たサービスロケーション９と、サービス提供サーバ３から得たサービス実体１０と、コンテンツ実体６とサービス実体１０を含むコンテンツ関連情報１１とを有している。さらに、付加情報照会サーバ２は対応表８を有し、コンテンツ利用者端末５はネットワーク４を介して流通されるコンテンツ関連情報１２と、コンテンツ実体１３と、サービス実体１４とを有する。
【００４３】
なお、請求項６に記載のコンテンツを示す情報とは、コンテンツの実体、コンテンツの所在を示すロケーション情報、またはコンテンツを一意に特定する識別子等のいずれかであるが、いずれを用いてもよい。本実施例ではコンテンツ識別子を用いた場合を説明のために用いる。また、コンテンツ関連情報作成装置１がコンテンツ実体６を所有していない場合は、後述する付加情報照会サーバ等に照会してコンテンツロケーションを知り、ロケーション先からコンテンツ実体を取得する手段を用いてもよい。コンテンツに付加可能な付加サービスの実体を取得する手段は以下に説明する。
【００４４】
コンテンツ関連情報作成装置１は、コンテンツのコンテンツ識別子７をもとに、付加情報照会サーバ２に関連情報を照会する。図１でのコンテンツ関連情報は、コンテンツと関連情報との対比をわかりやすくするため、コンテンツ利用者端末５にて利用の対象となるコンテンツを「コンテンツ」、このコンテンツに付加可能な付加サービスや付加コンテンツをまとめて「サービス」としたが、サービスの内容は付加コンテンツあるいは付加サービスと付加コンテンツの組合せでもよい。
【００４５】
付加情報照会サーバ２は、コンテンツと付加可能な付加サービスや付加コンテンツとの対応を管理する対応表８を備えている。付加情報照会サーバ２は対応表により、入力されたコンテンツ識別子７に対応する付加サービスのサービスロケーション９を返却する。
【００４６】
図２に、この対応表８の構成例を示す。対応表８は、本図２に示すように、各コンテンツ識別子ごとに、コンテンツロケーション、サービス識別子、サービスロケーション、サービス概要が、一覧表の形式となっている。この対応表８では、識別子「１２４」を有するコンテンツに対する付加サービス「二次利用許諾代行」と、付加コンテンツ「関連コンテンツ紹介」が照会され、サービスロケーション「１２３．２２．１１．２３」「１２９．６０．４０．２１」がコンテンツ関連情報作成装置１に返却されるものとする。なお、後述するコンテンツ関連情報作成の便宜のため、サービス概要を合わせて返却してもよい。
【００４７】
コンテンツ関連情報作成装置１は、サービスロケーション９をもとに、付加サービスと付加コンテンツのロケーション先であるサービス提供サーバ３にアクセスして、サービス実体１０を取得し、所有しているコンテンツ実体６と合わせて、それらを含んだコンテンツ関連情報１１が作成される。
【００４８】
図３に、このコンテンツ関連情報１１の構成例を示す。このコンテンツ関連情報１１は、本図に示すように、コンテンツ実体やサービス実体と、提示スクリプトから構成される。本図に示すコンテンツ関連情報１１では、コンテンツを提示しつつ、たとえば所定の条件Ａを満たしたときに付加サービス１を提示し、条件Ｂを満たしたときに付加コンテンツ２を提示することを示している。
【００４９】
図４に、コンテンツが動画の場合の提示スクリプトの構成例を更に示す。条件として再生時刻を利用している。そして、関連情報作成時に予め登場人物の初登場の時刻を調べておき、関連コンテンツである登場人物の紹介を提示するようにしてある。
【００５０】
作成されたコンテンツ関連情報１１は、ネットワーク４を介してコンテンツ利用者端末５に流通される。コンテンツ利用者端末５は、ネットワーク４を介してコンテンツ関連情報作成装置１から送られてきたコンテンツ関連情報１２に含まれる提示スクリプトをもとに、コンテンツ実体１３とサービス実体１４を利用する。本実施例では、例えば動画コンテンツの冒頭で「二次利用許諾代行」（関連コンテンツを含め、二次利用サービスを紹介）が表示され、動画の各場面に応じて、場面に適した関連コンテンツ（登場人物の紹介）が別途表示されるようになる。
【００５１】
図５および図６は、すでに図１にて示した本発明に係る第１の実施の形態によるコンテンツ関連情報作成システムについて、さらに詳細に説明するための図である。
【００５２】
コンテンツ関連情報作成装置１には、予め取得したコンテンツ実体６が存在しており、このコンテンツ実体６に付随したコンテンツ識別子７も予め取得されている。このコンテンツ識別子７に基づいて、コンテンツ識別子照会部１００を介して付加情報照会サーバ２へ接続し、この付加情報照会サーバ２が有する対応表８にアクセスする（図６、ステップＳ２００）。この対応表８に予め記憶された所定の対応に従って、コンテンツ識別子７に対応するサービスロケーション９が、付加情報照会サーバ２からコンテンツ関連情報作成装置１へ返信される（ステップＳ２０１）。コンテンツ関連情報作成装置１は、このサービスロケーション９に基づき、サービス取得部１０１を介してサービス提供サーバ３へ接続して、このサービス提供サーバ３に予め記憶されているサービス実体１０を取得する（ステップＳ２０２）。コンテンツ関連情報作成装置１では、サービス提供サーバ３から得たサービス実体１０とコンテンツ実体とを合わせて、それらを含んだコンテンツ関連情報１１を生成する（ステップＳ２０３）。このコンテンツ関連情報１１がコンテンツ関連情報作成装置１からネットワーク４を介してコンテンツ利用者端末５に配信（流通）される（ステップＳ２０４）。コンテンツ利用者端末５にはコンテンツ関連情報１２が配信され、コンテンツ関連情報１２に含まれるコンテンツ実体１３とサービス実体１４とが利用される。
【００５３】
上記のような本発明の第１の実施の形態に係るコンテンツ関連情報提示システムでは、コンテンツやサービスの実体を流通する権利を有する必要があるので、コンテンツ関連情報作成者はそれらのプロバイダ等である必要があるが、コンテンツ利用者端末５に一旦流通されれば後はネットワークを介さずに利用できるため、例えばコンテンツ・サービス一体型パッケージのオンライン販売を行うシステム等に適している。
【００５４】
［第２の実施の形態］
図７は、本発明の第２の実施の形態に係るコンテンツ関連情報提示システムの構成を示す図である。本実施例に記載のコンテンツ関連情報提示システムは、請求項１、請求項３及び請求項６に記載のコンテンツ関連情報提示方法を含む。本実施の形態に係るコンテンツ関連情報提示システムと図１のコンテンツ関連情報提示システムとの相違点は、コンテンツ実体やサービス実体の代わりにそれぞれのロケーション情報を流通して、コンテンツ利用者端末側でコンテンツ実体やサービス実体を取得する点である。
【００５５】
図７には、コンテンツ関連情報作成装置２０と、付加情報照会サーバ２３と、コンテンツ提供サーバ２４と、サービス提供サーバ２５と、コンテンツ利用者端末２２と、が示され、さらにネットワーク２１が示されている。このうち、コンテンツ関連情報作成装置２０には、コンテンツロケーション２９と、このコンテンツロケーション２９に係るコンテンツ識別子３０と、付加情報照会サーバ２３から得たサービスロケーション２８と、コンテンツロケーション２９とサービスロケーション２８とを含むコンテンツ関連情報２６とを有している。さらに、付加情報照会サーバ２３は対応表３１を有し、コンテンツ利用者端末２２はネットワーク２１を介して流通されるコンテンツ関連情報２７と、コンテンツロケーション３２と、サービスロケーション３３と、コンテンツ実体３４と、サービス実体３５とを有する。
【００５６】
図７において、請求項６に記載のコンテンツを示す情報とは、コンテンツの実体、コンテンツの所在を示すロケーション情報、またはコンテンツを一意に特定する識別子等のいずれかであるが、いずれを用いてもよい。本実施例ではコンテンツ識別子を用いた場合を説明のために用いる。また、コンテンツ関連情報作成装置２０がコンテンツロケーション２９を知らない場合は、後述する付加情報照会サーバ等に照会してコンテンツロケーション２９を知る手段を用いてもよい。コンテンツに付加可能な付加サービスのロケーションを照会する手段は以下に説明する。
【００５７】
コンテンツ関連情報作成装置２０は、コンテンツのコンテンツ識別子３０をもとに、付加情報照会サーバ２３に関連情報を照会する。図７での関連情報は、コンテンツと関連情報との対比をわかりやすくするため、コンテンツを「コンテンツ」、コンテンツに付加可能な付加サービスや付加コンテンツをまとめて「サービス」としたが、サービスの内容は付加コンテンツ或いは付加サービスと付加コンテンツの組合せでもよい。
【００５８】
付加情報照会サーバ２３の流れ及び対応表３１の構成例は、本発明の第１の実施の形態及び図２と同じであるので説明を省略する。なお、図示しない対応表３１の内容について、識別子「１２３」を有するコンテンツに対する付加サービス「コンテンツ利用履歴表示」「関連商品紹介」が照会され、サービスロケーション「１２３．２２．１１．２４」がコンテンツ関連情報作成装置２０に返却されるものとする。なお、後述するコンテンツ関連情報作成の便宜のため、サービス概要を合わせて返却してもよい。
【００５９】
コンテンツ関連情報作成装置は、予め知っているコンテンツロケーション２９と合わせてコンテンツ関連情報を作成する。本実施例では、付加情報照会サーバ２３から返却された対応表３１に記憶されていたサービス概要をもとに、付加サービスとして「コンテンツ利用履歴表示」が選択され、この際のサービスロケーションとして「１２３．２２．１１．２４」を用いるものとする。
【００６０】
図８に、このコンテンツ関連情報２６の構成例を示す。コンテンツ関連情報は、本図に示すように、提示スクリプトから構成される。本図に示すコンテンツ関連情報２６では、コンテンツロケーション１にアクセスしてコンテンツ実体を提示しつつ、条件Ｃを満たしたときにサービスロケーション２にアクセスして付加サービス実体を提示することを示している。条件としては、コンテンツが動画の場合は再生時刻等があり、図４と同様の提示スクリプトで構成可能である。
【００６１】
作成されたコンテンツ関連情報２６は、ネットワークを介してコンテンツ利用者端末２２に流通される。コンテンツ利用者端末２２は、コンテンツ関連情報２７の提示スクリプトをもとに、コンテンツ提供サーバ２４から取得したコンテンツ実体３４とサービス提供サーバ２５から取得したサービス実体３５を利用する。本実施例では、例えば動画コンテンツの冒頭で「コンテンツ利用履歴表示」（他のユーザが何度利用したかという人気度等を示す）が表示されるようになる。
【００６２】
図９および図１０は、すでに図７にて示した本発明に係る第２の実施の形態によるコンテンツ関連情報作成システムについて、さらに詳細に説明するための図である。
【００６３】
コンテンツ関連情報作成装置２０には、予め取得したコンテンツロケーション２９が存在しており、このコンテンツロケーション２９に付随したコンテンツ識別子３０も予め取得されている。このコンテンツ識別子３０に基づいて、コンテンツ識別子照会部１０４を介して付加情報照会サーバ２３へ接続し、この付加情報照会サーバ２３が有する対応表３１にアクセスする（図１０、ステップＳ３００）。この対応表３１に予め記憶された所定の対応に従って、コンテンツ識別子３０に対応するサービスロケーション２８が、付加情報照会サーバ２３からコンテンツ関連情報作成装置２０へ返信される（ステップＳ３０１）。コンテンツ関連情報作成装置２０は、このサービスロケーション２８とコンテンツロケーション２９とを合わせて、それらを含んだコンテンツ関連情報２６を生成して（ステップＳ３０２）、このコンテンツ関連情報２６をネットワーク２１を介して、コンテンツ利用者端末２２へ配信する（ステップＳ３０３）。コンテンツ利用者端末２２ではネットワーク２１を介してコンテンツ関連情報２７（２６）が生成され、このコンテンツ関連情報２７の提示スクリプトを取得する（ステップＳ３０４）。この提示スクリプトに従い、コンテンツロケーション３２に基づいてコンテンツ取得部１０２を介して、コンテンツ提供サーバ２４に接続し、コンテンツ実体３４を得る（ステップＳ３０５）。同様に、サービスロケーション３３に基づいてサービス取得部１０３を介して、サービス提供サーバ２５に接続し、サービス実体３５を得る（ステップＳ３０６）。
【００６４】
上記のような本発明の第２の実施の形態に係るコンテンツ関連情報提示システムでは、コンテンツやサービスのロケーション情報のみの流通なのでコンテンツ関連情報作成者はそれらのプロバイダ等である必要はないが、利用者端末でコンテンツを利用するためにはネットワークを介する必要があるため、例えば、コンテンツに関連してリアルタイムで更新される付加サービスを第三者が提供するシステム等に適している。
【００６５】
［第３の実施の形態］
図１１は、本発明の第３の実施の形態に係るコンテンツ関連情報提示システムの構成を示す図である。本実施例に記載のコンテンツ関連情報提示システムは、請求項１、請求項４、請求項５、請求項６、請求項７及び請求項８に記載のコンテンツ関連情報提示方法を含む。本実施の形態に係るコンテンツ関連情報提示システムと図７のコンテンツ関連情報提示システムとの相違点は、ロケーション情報の代わりに識別子を流通させ、利用者端末側で付加情報照会サーバにロケーション情報を照会し、実体を取得する点、及び、利用者情報や利用者端末情報も合わせて付加情報照会サーバに照会する点である。
【００６６】
図１１には、コンテンツ関連情報作成装置７１と、付加情報照会サーバ７４と、コンテンツ提供サーバ７５と、サービス提供サーバ７６と、コンテンツ利用者端末７３と、が示され、さらにネットワーク７２が示されている。このうち、コンテンツ関連情報作成装置７１には、予め知っているコンテンツ識別子３７と、付加情報照会サーバ７４から得たサービス識別子３８と、コンテンツ識別子３７とサービス識別子３８とを含むコンテンツ関連情報３６とを有している。さらに、付加情報照会サーバ７４は対応表３９を有し、コンテンツ利用者端末７３はネットワーク７２を介して流通されるコンテンツ関連情報４２と、コンテンツ識別子４３と、サービス識別子４４と、コンテンツロケーション４５と、サービスロケーション４６と、コンテンツ実体４７と、サービス実体４８と、利用者情報４０と、利用者端末情報４１とを有する。
【００６７】
図１１において、請求項６に記載のコンテンツを示す情報とは、コンテンツの実体、コンテンツの所在を示すロケーション情報、またはコンテンツを一意に特定する識別子等のいずれかであるが、いずれを用いてもよい。本実施例ではコンテンツ識別子を用いた場合を説明のために用いる。コンテンツに付加可能な付加サービスの識別子を照会する手段は以下に説明する。
【００６８】
コンテンツ関連情報作成装置は、コンテンツのコンテンツ識別子をもとに、付加情報照会サーバに関連情報を照会する。図１１での関連情報は、コンテンツと関連情報との対比をわかりやすくするため、コンテンツを「コンテンツ」、コンテンツに付加可能な付加サービスや付加コンテンツをまとめて「サービス」としたが、サービスの内容は付加コンテンツあるいは付加サービスと付加コンテンツの組合せでもよい。
【００６９】
付加情報照会サーバの流れは、本発明の第１の実施の形態と同じであるので説明を省略する。
【００７０】
図１２に、この対応表の構成例を示す。本図に示す対応表では、識別子「１２３」を有するコンテンツに対する付加サービス「コンテンツ利用履歴表示」「関連商品紹介」が照会され、サービス識別子「５０２９」、「３１０４」がコンテンツ関連情報作成装置に返却されるものとする。ここで、同一のサービス識別子に対して複数のロケーションが記述されている場合があるが、これらは後述する利用者端末からの照会で使用される。なお、後述するコンテンツ関連情報作成の便宜のため、サービス概要を合わせて返却してもよい。
【００７１】
コンテンツ関連情報作成装置７１は、予め知っているコンテンツ識別子３７と合わせてコンテンツ関連情報３６を作成する。本実施例では、返却された付加情報照会サーバ７４の対応表３９に含まれていたサービス概要をもとに、付加サービスとして「関連商品紹介」を選択し、サービス識別子として「３１０４」を用いるものとする。
【００７２】
図１３に、このコンテンツ関連情報３６の構成例を示す。コンテンツ関連情報は、本図に示すように、提示スクリプトから構成される。本図に示すコンテンツ関連情報３６では、コンテンツ識別子１をもとに付加情報照会サーバ７４にコンテンツロケーションを照会し、付加情報照会サーバ７４から返答されたコンテンツロケーション４５に基づき、コンテンツ提供サーバ７５にアクセスしてコンテンツ実体４７を提示する。さらに、条件Ｄを満たしたときにサービス識別子２をもとにして付加情報照会サーバ７４にサービスロケーションを照会し、付加情報照会サーバ７４から返答されたサービスロケーション４６に基づいて、サービス提供サーバ７６にアクセスしてサービス実体４８を提示することを示している。この条件Ｄとしては、たとえばコンテンツが動画の場合は再生時刻等があり、図４と同様の提示スクリプトで構成可能である。
【００７３】
作成されたコンテンツ関連情報３６は、ネットワーク７２を介して利用者端末７３に配信（流通）される。コンテンツ利用者端末７３は、コンテンツ関連情報４２の提示スクリプトをもとに、付加情報照会サーバ７４にコンテンツロケーション４５及びサービスロケーション４６を照会する。本実施例におけるコンテンツ利用者端末７３はさらに、コンテンツ関連情報４２に加えて利用者情報４０及び利用者端末情報４１を用いて、付加情報照会サーバ７４に照会する。
【００７４】
図１４に、この利用者情報４０及び利用者端末情報４１の構成例を示す。利用者情報４０及び利用者端末情報４１は、本図に示すように、各種属性の一覧から構成される。本図に示す利用者情報４０及び利用者端末情報４１では、付加情報照会サーバ７４に照会されたとき、図１２に示す対応表３９の適宜項目と比較される。本実施例では、サービス概要とのキーワードマッチングや演算判定としたが、その他の比較方法でもよい。その結果、適合する関連商品販売（趣味☆☆☆☆向け）が選択され、サービスロケーション「１２９．６０．４０．２０」が利用者端末に返却される。
【００７５】
コンテンツ利用者端末７３はロケーション先にアクセスし、コンテンツ提供サーバ７５から取得したコンテンツ実体４７とサービス提供サーバ７６から取得したサービス実体４８を利用する。本実施例では、例えば動画コンテンツの各場面に応じて、利用者及び場面に適した関連商品を扱うＥＣサイトが、コンテンツ利用者端末７３に適した形で別途表示されるようになる。
【００７６】
図１５および図１６は、すでに図１１にて示した本発明に係る第３の実施の形態によるコンテンツ関連情報作成システムについて、さらに詳細に説明するための構成図である。
【００７７】
コンテンツ関連情報作成装置７１には、予め取得したコンテンツ識別子３７が存在している。このコンテンツ識別子３７に基づいて、コンテンツ識別子照会部１０８を介して付加情報照会サーバ７４へ接続し、この付加情報照会サーバ７４が有する対応表３９にアクセスする（図１６、ステップＳ４００）。この対応表３９に予め記憶された所定の対応に従って、コンテンツ識別子３７に対応するサービス識別子３８が、付加情報照会サーバ７４からコンテンツ関連情報作成装置７１へ返信される（ステップＳ４０１）。コンテンツ関連情報作成装置７１は、このサービス識別子３８とコンテンツ識別子３７とを合わせて、それらを含んだコンテンツ関連情報３６を生成して（ステップＳ４０２）、このコンテンツ関連情報３６をネットワーク７２を介して、コンテンツ利用者端末７３へ配信する（ステップＳ４０３）。コンテンツ利用者端末７３ではネットワーク７２を介してコンテンツ関連情報４２（３６）が生成され、このコンテンツ関連情報４２の提示スクリプトを取得する（ステップＳ４０４）。この提示スクリプトに従い、コンテンツ識別子４３とサービス識別子４４と利用者情報４０と利用者端末情報４１をもって付加情報照会サーバ７４にアクセスし、このコンテンツ識別子４３とサービス識別子４４とに対応付けされ、この利用者情報４０と利用者端末情報４１に適合するコンテンツロケーション４５とサービスロケーション４６とを得る（ステップＳ４０５）。コンテンツロケーション４５に基づいてコンテンツ取得部１０６を介して、コンテンツ提供サーバ７５に接続し、コンテンツ実体４７を得る（ステップＳ４０６）。同様に、サービスロケーション４６に基づいてサービス取得部１０７を介して、サービス提供サーバ７６に接続し、サービス実体４８を得る（ステップＳ４０７）。
【００７８】
上記のような本発明の第３の実施の形態に係るコンテンツ関連情報提示システムでは、コンテンツやサービスの識別子の流通なので、コンテンツ利用者端末が付加情報照会サーバに照会するのに所定の時間がかかるが、利用者情報や利用者端末情報に応じて照会することもまた可能なため、例えば、広汎な利用者が想定されるコンテンツに付加しておき、利用者や利用者端末に応じて提示内容が変わる広告コンテンツを提供するシステム等に適している。
【００７９】
［第４の実施の形態］
図１７は、本発明の第４の実施の形態に係るコンテンツ関連情報提示システムの構成を示す図である。本実施の形態は、第３の実施の形態に係るコンテンツ関連情報提示システムの構成の別の形態例である。
【００８０】
本実施の形態に係るコンテンツ関連情報提示システムと図１１のコンテンツ関連情報提示システムとの相違点は、関連情報が流通されるコンテンツ利用者とは別の利用者が、関連情報を利用する点、及び、流通された関連情報をコンテンツ利用者が変更して別の利用者に再流通する点である。
【００８１】
図１７には、コンテンツ関連情報作成装置５０と、付加情報照会サーバ５２と、コンテンツ提供サーバ６０と、サービス提供サーバ６１と、コンテンツ利用者が利用する図示しないコンテンツ利用者端末に置かれたコンテンツ関連情報５４と、コンテンツを利用するための図示しないコンテンツ利用端末を備えた別の利用者５３と、が示され、さらにネットワーク５１が示されている。このうち、コンテンツ関連情報作成装置５０には、予め知っているコンテンツ識別子５７と、付加情報照会サーバ５２から得たサービス識別子５８と、コンテンツ識別子５７とサービス識別子５８とを含むコンテンツ関連情報５９とを有している。さらに、付加情報照会サーバ５２は対応表５６を有し、コンテンツ利用者の図示しないコンテンツ利用者端末にはネットワーク５１を介して流通されるコンテンツ関連情報５４が含まれ、別の利用者５３の図示しないコンテンツ利用者端末には、コンテンツ関連情報６２と、コンテンツ識別子６５と、サービス識別子６６と、コンテンツロケーション６７と、サービスロケーション６８と、コンテンツ実体６９と、サービス実体７０と、利用者情報６３と、利用者端末情報６４とを有する。
【００８２】
図１７において、作成されたコンテンツ関連情報５９がネットワーク５１を介してコンテンツ利用者端末に流通されるまでの流れは、図１１と同じであるので説明を省略する。
【００８３】
コンテンツ利用者は、流通され取得したコンテンツ関連情報５４を一部変更して別の利用者５３に再流通する。図１８に、変更されたコンテンツ関連情報６２の構成例を示す。本図に示すコンテンツ関連情報６２では、図１３と比べ、条件Ｄを満たしたときにサービス識別子２をもとに付加情報照会サーバ５２にサービスロケーション６８を照会し、そのロケーションにアクセスしてサービス実体７０を提示する代わりに、コンテンツ提示終了後にサービスを提示するように変更している。
【００８４】
コンテンツ関連情報６２が流通された別のコンテンツ利用者の端末では、コンテンツ関連情報６２の提示スクリプトをもとに、付加情報照会サーバ５２にコンテンツロケーション６７及びサービスロケーション６８を照会する。本実施例におけるコンテンツ利用者端末はさらに、コンテンツ関連情報６２に加えて利用者情報及び利用者端末情報を用いて、付加情報照会サーバ５２に照会するが、別の利用者情報６３及び別の利用者端末情報６４の場合、元の利用者への情報とは異なる情報が返却されることになる。
【００８５】
図１９に、この別の利用者情報６３及び別の利用者端末情報６４の構成例を示す。別の利用者情報６３及び別の利用者端末情報６４は、本図に示すように、図１４とは異なる内容となっている。その結果、図１２に示す対応表からは趣味☆☆☆☆向けと異なる、適合する関連商品販売（端末種別ＰＤＡ向け）が選択され、サービスロケーション「１２９．６０．４０．３１」が別の利用者端末に返却される。
【００８６】
別の利用者端末はロケーション先にアクセスし、コンテンツ提供サーバから取得したコンテンツ実体とサービス提供サーバから取得したサービス実体を利用する。本実施例では、例えば動画コンテンツの各場面に応じて、利用者及び場面に適した関連商品を扱うＥＣサイトが、利用者端末（ＰＤＡ）に適した形、かつ元の利用者の変更（コンテンツ提示後に提示）を反映した形で別途表示されるようになる。
【００８７】
図２０および図２１は、すでに図１７にて示した本発明に係る第４の実施の形態によるコンテンツ関連情報作成システムについて、さらに詳細に説明するための構成図である。
【００８８】
まず、前提条件として、コンテンツ関連情報作成装置５０には、予め取得したコンテンツ識別子５７が存在している。このコンテンツ識別子５７に基づいて、コンテンツ識別子照会部１１１を介して付加情報照会サーバ５２へ接続し、この付加情報照会サーバ５２が有する対応表５６にアクセスする。この過程でサービス識別子を取得して、コンテンツ識別子５７と合わせて、それらを含んだコンテンツ関連情報５９を作成する。このコンテンツ関連情報５９は、ネットワーク５１を介して流通し、既にコンテンツ利用者のコンテンツ利用者端末にコンテンツ関連情報５４として取得済みである。このコンテンツ関連情報５４はコンテンツ利用者のコンテンツ利用者端末にて変更されて、ネットワーク５１を介して別の利用者５３へ流通される。別の利用者５３のコンテンツ利用者端末において、コンテンツ関連情報６２（５４）が取得され、このコンテンツ関連情報６２に含まれるコンテンツ識別子６５とサービス識別子６６と、別の利用者情報６３と、別の利用者端末情報６４をもとに付加情報照会部１１２を介して付加情報照会サーバ５２に照会をする（図２１、ステップＳ５００）。付加情報照会サーバ５２からは、対応表５６に基づいてコンテンツロケーション６７とサービスロケーション６８が別の利用者５３のコンテンツ利用者端末へ返答される（ステップＳ５０１〜Ｓ５０２）。コンテンツロケーション６７に基づいて、コンテンツ取得部１０９を介してコンテンツ提供サーバ６０にアクセスし、コンテンツ実体６９を取得する（ステップＳ５０３）。また、サービスロケーション６８に基づいて、サービス取得部１１０を介してサービス提供サーバ６１にアクセスし、サービス実体７０を取得する（ステップＳ５０４）。
【００８９】
上記のような本発明の第４の実施の形態に係るコンテンツ関連情報提示システムでは、利用者情報や利用者端末情報に応じて照会するだけでなく、利用者同士で変更したり流通したりすることもまた可能なため、例えば、Ｐ２Ｐでコンテンツ関連情報を交換するコミュニティシステム等に適している。
【００９０】
なお、上記４つの実施例では、コンテンツ関連情報作成におけるコンテンツとサービスの情報の形態の組み合わせを、説明の便宜のため「実体」「ロケーション」「識別子」のいずれかに一致させたが、これを一致させず、例えばコンテンツ実体とサービス識別子、コンテンツロケーションとサービス実体というように任意の組み合わせとする形態も可能である。
【００９１】
また、利用者端末における提示スクリプトの実行の形態を、先頭から順に解釈して実行（インタープリタ）としたが、これに限ったことではなく、提示前に予め提示スクリプトを実行（コンパイル）しておき、すなわち、付加情報照会サーバやコンテンツ提供サーバやサービス提供サーバへのアクセスを行っておき、コンテンツ実体とサービス実体の提示を円滑に行う等の形態も可能である。逆に、コンテンツ利用中はサービス実体でなく「サービスが存在する」という旨だけ提示し、提示後に利用者が適宜タイミングでマウスクリック／キー操作を行うことによりサービス実体を提示するようにし、コンテンツ利用を妨げることなくサービスを提示する等の形態も可能である。
【００９２】
また、提示スクリプトとしては、条件分岐及び属性一覧の記述を実施の形態として記したが、これに限ったことでなく、様々な論理記述や属性記述を組み合わせる形態も可能である。
【００９３】
また、本発明の第３及び第４の実施の形態では、利用者情報及び利用者端末情報も用いているが、各々のいずれか一方のみを用いる形態や、いずれも用いない形態も可能である。逆に、第３でなく、第１や第２の実施の形態のように、関連情報がサービス実体やサービスロケーションの場合も、利用者情報及び利用者端末情報を用いることが可能である。すなわち、関連情報にサービス概要を含めるようにしておき、提示スクリプトの中で利用者情報や利用者端末情報とサービス概要とを比較し、適合するサービス実体やサービスロケーションを提示する形態も可能である。
【図面の簡単な説明】
【００９４】
【図１】本発明に係る、第１の実施の形態のコンテンツ関連情報提示方法を説明するための概略の構成図を示す。
【図２】本発明に係る、第１の実施の形態において適用される対応表の一例を示す。
【図３】本発明に係る、第１の実施の形態において適用されるコンテンツ関連情報の一例を示す。
【図４】本発明に係る、第１の実施の形態において適用される提示スクリプトの一例を示す。
【図５】本発明に係る、第１の実施の形態のコンテンツ関連情報提示方法を詳細に説明するための概略の構成図を示す。
【図６】本発明に係る、第１の実施の形態のコンテンツ関連情報提示方法を詳細に説明するための処理ステップの概略図を示す。
【図７】本発明に係る、第２の実施の形態のコンテンツ関連情報提示方法を説明するための概略の構成図を示す。
【図８】本発明に係る、第２の実施の形態において適用されるコンテンツ関連情報の一例を示す。
【図９】本発明に係る、第２の実施の形態のコンテンツ関連情報提示方法を詳細に説明するための概略の構成図を示す。
【図１０】本発明に係る、第２の実施の形態のコンテンツ関連情報提示方法を詳細に説明するための処理ステップの概略図を示す。
【図１１】本発明に係る、第３の実施の形態のコンテンツ関連情報提示方法を説明するための概略の構成図を示す。
【図１２】本発明に係る、第３の実施の形態において適用される対応表の一例を示す。
【図１３】本発明に係る、第３の実施の形態において適用されるコンテンツ関連情報の一例を示す。
【図１４】本発明に係る、第３の実施の形態において適用される利用者情報および利用者端末情報の一例を示す。
【図１５】本発明に係る、第３の実施の形態のコンテンツ関連情報提示方法を詳細に説明するための概略の構成図を示す。
【図１６】本発明に係る、第３の実施の形態のコンテンツ関連情報提示方法を詳細に説明するための処理ステップの概略図を示す。
【図１７】本発明に係る、第４の実施の形態のコンテンツ関連情報提示方法を説明するための概略の構成図を示す。
【図１８】本発明に係る、第４の実施の形態において適用されるコンテンツ関連情報の一例を示す。
【図１９】本発明に係る、第４の実施の形態において適用される利用者情報および利用者端末情報の一例を示す。
【図２０】本発明に係る、第４の実施の形態のコンテンツ関連情報提示方法を詳細に説明するための概略の構成図を示す。
【図２１】本発明に係る、第４の実施の形態のコンテンツ関連情報提示方法を詳細に説明するための処理ステップの概略図を示す。
【符号の説明】
【００９５】
１  コンテンツ関連情報作成装置
２  付加情報照会サーバ
３  サービス提供サーバ
４  ネットワーク
５  コンテンツ利用者端末
６  コンテンツ実体
７  コンテンツ識別子
８  対応表
９  サービスロケーション
１０  サービス実体
１１  コンテンツ関連情報
１２  コンテンツ関連情報
１３  コンテンツ実体
１４  サービス実体
２０  コンテンツ関連情報作成装置
２１  ネットワーク
２２  コンテンツ利用者端末
２３  付加情報照会サーバ
２４  コンテンツ提供サーバ
２５  サービス提供サーバ
２６  コンテンツ関連情報
２７  コンテンツ関連情報
２８  サービスロケーション
２９  コンテンツロケーション
３０  コンテンツ識別子
３１  対応表
３２  コンテンツロケーション
３３  サービスロケーション
３４  コンテンツ実体
３５  サービス実体
３６  コンテンツ関連情報
３７  コンテンツ識別子
３８  サービス識別子
３９  対応表
４０  利用者情報
４１  利用者端末情報
４２  コンテンツ関連情報
４３  コンテンツ識別子
４４  サービス識別子
４５  コンテンツロケーション
４６  サービスロケーション
４７  コンテンツ実体
４８  サービス実体
５０  コンテンツ関連情報作成装置
５１  ネットワーク
５２  付加情報照会サーバ
５３  別の利用者
５４  コンテンツ関連情報
５６  対応表
５７  コンテンツ識別子
５８  サービス識別子
５９  コンテンツ関連情報
６０  コンテンツ提供サーバ
６１  サービス提供サーバ
６２  コンテンツ関連情報
６３  利用者情報
６４  利用者端末情報
６５  コンテンツ識別子
６６  サービス識別子
６７  コンテンツロケーション
６８  サービスロケーション
６９  コンテンツ実体
７０  サービス実体
７１  コンテンツ関連情報作成装置
７２  ネットワーク
７３  コンテンツ利用者端末
７４  付加情報照会サーバ
７５  コンテンツ提供サーバ
７６  サービス提供サーバ
１００  コンテンツ識別子照会部
１０１  サービス取得部
１０２  コンテンツ取得部
１０３  サービス取得部
１０４  コンテンツ識別子照会部
１０５  付加情報照会部
１０６  コンテンツ取得部
１０７  サービス取得部
１０８  コンテンツ識別子照会部
１０９  コンテンツ取得部
１１０  サービス取得部
１１１  コンテンツ識別子照会部
１１２  付加情報照会部
【図１】
2005128892.tif 000003
【図２】
2005128892.tif 000004
【図３】
2005128892.tif 000005
【図４】
2005128892.tif 000006
【図５】
2005128892.tif 000007
【図６】
2005128892.tif 000008
【図７】
2005128892.tif 000009
【図８】
2005128892.tif 000010
【図９】
2005128892.tif 000011
【図１０】
2005128892.tif 000012
【図１１】
2005128892.tif 000013
【図１２】
2005128892.tif 000014
【図１３】
2005128892.tif 000015
【図１４】
2005128892.tif 000016
【図１５】
2005128892.tif 000017
【図１６】
2005128892.tif 000018
【図１７】
2005128892.tif 000019
【図１８】
2005128892.tif 000020
【図１９】
2005128892.tif 000021
【図２０】
2005128892.tif 000022
【図２１】
2005128892.tif 000023